(57)【要約】【課題】ネットワークを介して送信されたデータを確認して、印刷することを目的とする。【解決手段】画像データと、この画像データを出力する出力先の印刷装置のネットワーク上のアドレスとを関連付けて記憶する関連付け部と、前記印刷装置で印刷対象となる画像データの閲覧要求を受信した際に、同印刷装置のアドレスに関連付けられた画像データを要求元の装置に送信する画像送信部と、前記閲覧により印刷対象として指定された画像データを、関連付けられた印刷装置に送信する印刷データ送信部と、を有する。【選択図】図２
2010134712.tif 000002
【特許請求の範囲】
【請求項１】
画像データと、この画像データを出力する印刷装置のネットワーク上のアドレスとを関連付けて記憶する関連付け部と、
前記印刷装置で印刷対象となる画像データの閲覧要求を受信した際に、同印刷装置のアドレスに関連付けられた画像データを要求元の装置に送信する画像送信部と、
前記閲覧により印刷対象として指定された画像データを、関連付けられた印刷装置に送信する印刷データ送信部と、を有することを特徴とするサーバー装置。
【請求項２】
前記画像送信部は、受信した画像データからサムネール画像を表示するためのサムネールデータを生成し、前記生成されたサムネールデータを送信することを特徴とする請求項１に記載のサーバー装置。
【請求項３】
サーバー装置に記憶された画像データをネットワークを介して印刷装置に送信して印刷処理させる印刷システムであって、
前記サーバー装置は、
前記画像データと、この画像データを出力する印刷装置のネットワーク上のアドレスとを関連付けて記憶する関連付け部と、
前記印刷装置で印刷対象となる画像データの閲覧要求を受信した際に、同印刷装置のアドレスに関連付けられた画像データを要求元の装置に送信する画像送信部と、
前記閲覧により印刷対象として指定された画像データを、前記印刷装置に送信する印刷データ送信部と、を有し、
前記印刷装置は、前記送信された画像データを用いて印刷を行う印刷処理部を有することを特徴とする印刷システム。
【請求項４】
画像データをサーバー装置に送信する携帯端末と、画像を閲覧可能な電子機器を操作して、サーバー装置に記憶された画像データをネットワーク上の印刷装置に印刷処理させる画像登録印刷システムであって、
前記電子機器は、
前記記憶された画像データであって、前記印刷装置が印刷可能な画像データの閲覧を前記サーバー装置に要求する閲覧要求部と、
前記閲覧された画像データから、前記印刷装置に印刷処理させる画像データの選択を受付け、同選択された画像データの印刷処理を前記印刷装置に命令する印刷命令部と、を有し、
前記サーバー装置は、
前記画像データと、この画像データを出力する印刷装置のネットワーク上のアドレスとを関連付けて記憶する関連付け部と、
前記電子機器から、前記印刷装置で印刷対象となる画像データの閲覧要求を受信した際に、同印刷装置のアドレスに関連付けられた画像データを前記携帯端末に送信する画像送信部と、
前記閲覧により印刷対象として指定された画像データを、前記印刷装置に送信する印刷データ送信部と、を有し、
前記印刷装置は、前記送信された画像データを用いて印刷を行う印刷処理部を有することを特徴とする画像登録印刷システム。
【請求項５】
前記画像送信部は、前記電子機器が画像データを閲覧する際に、所定のパスワードを要求することを特徴とする請求項４に記載の画像登録印刷システム。
【請求項６】
前記電子機器は、携帯端末であることを特徴とする請求項４又は請求項５のいずれかに記載の画像登録印刷システム。
【請求項７】
前記携帯端末は、充電時に前記画像データを送信することを特徴とする請求項４に記載の画像登録印刷システム。
【請求項８】
前記携帯端末は、前記画像データを送信する際に、接続可能な回線の内、最も回線速度が速い回線と接続することを特徴とする請求項４に記載の画像登録印刷システム。
【請求項９】
前記電子機器は、前記印刷装置であることを特徴とする請求項４に記載の画像登録印刷システム。
【発明の詳細な説明】
【技術分野】
【０００１】
本発明は、ネットワークに接続可能なサーバー装置に関し、特に、ネットワークを介して画像データを送受信可能なサーバー装置、及び前記サーバー装置を使用した印刷システム並びに画像登録印刷システムに関する。
【背景技術】
【０００２】
従来、ネットワークを介して画像データをやり取りするシステムが知られている。例えば、携帯端末が記憶する画像データを、ネットワークを介して出力装置に送信し、この出力装置に出力させるシステムが開示されている（例えば、特許文献１参照）。
このシステムでは、携帯端末としての携帯電話は撮像部を備え、撮像部で撮像して生成した画像データを印刷命令と供にネットワークに接続された印刷装置に送信する。また、印刷装置は画像データ及び印刷命令を受信すると、送信された画像データを印刷処理して出力する。
【特許文献１】特開２００２−３６９１１０号公報
【発明の開示】
【発明が解決しようとする課題】
【０００３】
上記したシステムでは、印刷装置を管理するユーザが必要のない画像まで印刷してしまう場合があった。例えば、ネットワークに接続された装置では、アドレスを特定することができればデータをその装置に対して送信することが可能であるため、不特定の携帯端末からユーザの管理する印刷装置にデータを送信して印刷させることが可能となる。この場合、印刷媒体の無駄はもとより、ユーザに対して不快な思いをさせてしまう場合も想定される。
【０００４】
本発明は、上記課題にかんがみてなされたもので、ネットワークを介して送信されたデータを確認して、印刷することが可能なサーバー装置、及び前記サーバー装置を使用した印刷システム並びに画像登録印刷システムの提供を目的とする。
【課題を解決するための手段】
【０００５】
上記課題を解決するために、本発明では、画像データと、この画像データを出力する印刷装置のネットワーク上のアドレスとを関連付けて記憶する関連付け部と、前記印刷装置で印刷対象となる画像データの閲覧要求を受信した際に、同印刷装置のアドレスに関連付けられた画像データを要求元の装置に送信する画像送信部と、前記閲覧により印刷対象として指定された画像データを、関連付けられた印刷装置に送信する印刷データ送信部と、を有する。
【０００６】
上記のように構成された発明では、関連付け部が、画像データとこの画像データを出力する印刷装置のネットワーク上のアドレスとを関連付けて記憶し、画像送信部は、所定の印刷装置で印刷対象となる画像データの閲覧要求を受信した際に、同印刷装置のアドレスに関連付けられた画像データを要求元の装置に送信し、印刷データ送信部は、閲覧により印刷対象として指定された画像データを、関連付けられた印刷装置に送信する。
そのため、ユーザは、サーバー装置に記憶された画像データの内、自己が管理する印刷装置で印刷対象となる画像データを閲覧し、この閲覧によって印刷処理する画像データを選択することが可能となる。
【０００７】
本発明の一局面として、前記画像送信部は、受信した画像データからサムネール画像を表示するためのサムネールデータを生成し、前記生成されたサムネールデータを送信する。
上記のように構成された発明では、サーバー装置は、サムネールデータを閲覧させるため、閲覧画像のデータ量が多くならず、閲覧をスムーズに行うことができる。
【０００８】
本発明の他の局面として、サーバー装置に記憶された画像データをネットワークを介して印刷装置に送信して印刷処理させる印刷システムであって、前記サーバー装置は、前記画像データと、この画像データを出力する印刷装置のネットワーク上のアドレスとを関連付けて記憶する関連付け部と、前記印刷装置で印刷対象となる画像データの閲覧要求を受信した際に、同印刷装置のアドレスに関連付けられた画像データを要求元の装置に送信する画像送信部と、前記閲覧により印刷対象として指定された画像データを、前記印刷装置に送信する印刷データ送信部と、を有し、前記印刷装置は、前記送信された画像データを用いて印刷を行う。
【０００９】
また、本発明の他の局面として、画像データをサーバー装置に送信する携帯端末と、画像を閲覧可能な電子機器を操作して、サーバー装置に記憶された画像データをネットワーク上の印刷装置に印刷処理させる画像登録印刷システムであって、前記電子機器は、前記記憶された画像データであって、前記印刷装置が印刷可能な画像データの閲覧を前記サーバー装置に要求する閲覧要求部と、前記閲覧された画像データから、前記印刷装置に印刷処理させる画像データの選択を受付け、同選択された画像データの印刷処理を前記印刷装置に命令する印刷命令部と、を有し、前記サーバー装置は、前記画像データと、この画像データを出力する印刷装置のネットワーク上のアドレスとを関連付けて記憶する関連付け部と、前記電子機器から、前記印刷装置で印刷対象となる画像データの閲覧要求を受信した際に、同印刷装置のアドレスに関連付けられた画像データを前記携帯端末に送信する画像送信部と、前記閲覧により印刷対象として指定された画像データを、前記印刷装置に送信する印刷データ送信部と、を有し、前記印刷装置は、前記送信された画像データを用いて印刷を行う印刷処理部を有する。
【００１０】
上記のように構成された発明の一局面として、前記画像送信部は、前記電子機器が画像データを閲覧する際に、所定のパスワードの入力を要求する。
上記のように構成された発明では、画像データのアクセスに対してセキュリティーを向上させることができる。
【００１１】
上記のように構成された発明の一局面として、前記電子機器は、携帯端末である。そのため、サーバー装置へは携帯端末を用いて画像データを送信させることができる。また、前記電子機器は、前記印刷装置であってもよい。
【００１２】
また、上記のように構成された発明の一局面として、前記携帯端末は、充電時に前記画像データを送信する。そのため、携帯端末は、通話等に使用していない充電中に画像データを送信するため、通常の使用状態を阻害しないとともに、画像データのデータ量が多い場合でも、消費した電力を充電によってすぐに補うことができる。
【００１３】
また、上記のように構成された発明の一局面として、前記第２の携帯端末は、前記画像データを送信する際に、接続可能な回線の内、最も回線速度が速い回線と接続する。そのため、画像データを送信するのに必要とされる時間を短縮することができる。
【発明を実施するための最良の形態】
【００１４】
以下、図を参照しつつ下記の順序に従って本発明の実施形態を説明する。なお、同一の符号を付した箇所は同一の機能を奏し、その説明は繰返さない。
１．第１の実施形態：
２．第２の実施形態：
３．その他の実施形態：
【００１５】
１．第１の実施形態：
図１は、第１の実施形態に係る画像登録印刷システムを説明するためのイメージ図である。画像登録印刷システム１００は、携帯電話（携帯端末）２０，３０とプリンタ（印刷装置）４０とサーバー装置１０とがネットワーク５０に接続されて構成されている。携帯電話２０，３０は、ネットワーク５０の一部を構成する基地局を通じて他の携帯電話と通話を可能にする他、ネットワーク５０との接続を確立して、サーバー装置１０及びプリンタ４０にアクセスすることができる。
【００１６】
図２は、画像登録印刷システムの機能を説明するためのイメージ図である。図２を用いて、画像登録印刷システム１００の機能の概略を説明する。画像登録印刷システム１００の機能は、以下の２つの機能に大別される。まず、第１の機能は、所定のユーザが携帯電話２０を操作して画像データを印刷するプリンタを指定しつつ、この画像データをサーバー装置１０に記録させる機能である。また、画像データを受信したサーバーは関連付けされたプリンタに対して、画像を受信したことを通知する。プリンタのアドレスに対して、関連付けされた携帯電話30のe-mailアドレスに対して、画像データを受信したことを通知してもよい。
次に、第２の機能は、プリンタ４０の管理者が自己が管理するプリンタ４０で印刷可能な画像データの閲覧をサーバー装置１０に要求すると、サーバー装置１０はプリンタ４０で印刷可能な画像データを携帯電話３０に送信し、管理者に閲覧させる機能である。その後、管理者は閲覧した画像の中から印刷を実行する画像を選択し、選択した画像をプリンタ４０に印刷させる。
【００１７】
画像登録印刷システム１００における第１及び第２の機能により、プリンタの管理者は、自己が管理するプリンタが印刷可能な画像を印刷前に確認することが可能となる。なお、第１の機能と第２の機能で、携帯電話及び携帯電話を操作するユーザは同一であってもかまわない。
【００１８】
以下、図３を参照して、画像登録印刷システム１００を構成する各部の構成をより詳細に説明する。図３は、一実施形態としての画像登録印刷システム１００を構成する各部の構成を説明するブロック図である。なお、この図では、携帯電話２０の構成のみを説明するが、携帯電話３０においても携帯電話２０と同様の構成を備えている。
【００１９】
まずは、携帯電話２０の構成を説明する。携帯電話２０の要部は、基地局との間で電波を用いて通信を行う無線部２１と、スピーカ／マイク２３を介して入力されたデータ等をディジタル又はアナログデータに変換するベースバンド信号処理部２２と、データに対して各種処理を実行するメイン制御部２４と、撮像処理を行なうカメラモジュール２９と、を備えて構成されている。
【００２０】
メイン制御部２４は、カメラモジュール２９の駆動を制御するためのマルチメディア処理部２６と、コンピュータシステム部２５とを備えている。コンピュータシステム部２５は、ユーザからの操作入力を受け付けるキー入力部２７及び表示画面として機能する表示部２８と接続している。そのため、ユーザが表示部２８に表示された画面を閲覧しつつキー入力部２７を介して入力を行うと、コンピュータシステム部２５は、キー入力部２７から出力された操作入力をもとに携帯電話２０の駆動を制御する。
【００２１】
図４は、コンピュータシステム部２５の論理的な構成を説明するための図である。コンピュータシステム部２５は、所定の演算処理を行なうＣＰＵや、このＣＰＵに所定の演算処理を実行させるためのプログラムが記憶されたメモリとを備えている。そのため、ＣＰＵがメモリに記憶されたプログラムを実行することで、コンピュータシステム部２５は、無線部２１及びベースバンド信号処理部２２を制御して携帯電話２０をネットワーク５０に接続させるための通信設定部２５ｇとしての機能や、上記第１及び第２の機能を実現する。
【００２２】
具体的には、コンピュータシステム部２５は、上記第１の機能を実現するために、メモリに記憶された画像データを画面上に表示させて、送信対象となる画像データの選択を受け付けるための送信画像選択部２５ａや、画像データを印刷するプリンタのアドレスを付加情報として付与する付加情報設定部２５ｂや、画像データをネットワーク５０を介して送信するための画像データ送信部２５ｃとして機能する。
【００２３】
また、コンピュータシステム部２５は、第２の機能を実現するために、サーバー装置１０に画像データを閲覧要求し、この画像データを画面上に表示させる画像参照部２５ｄや、表示された画像データから印刷対象となる画像データの選択を受け付けるための印刷画像選択部２５ｅや、プリンタに対して印刷を実行させるための印刷指示部２５ｆとして機能する。更に、コンピュータシステム部２５は、サーバー装置１０に記憶された画像データを参照する際に必要となるパスワードを管理するパスワード管理部２５ｈとして機能する。そのため、画像参照部２５ｄにより本発明の閲覧要求部を実現する。また、印刷画像選択部２５ｅと印刷指示部２５ｆにより、本発明の印刷命令部を実現する。
【００２４】
サーバー装置１０は、ネットワーク５０と接続するためのネットワークＩＦ１１と、サーバー装置１０の駆動を制御するためのメイン制御部１２と、携帯電話２０，３０から送信された画像データ及びメイン制御部１２に所定の処理を実行させるためのプログラムが記憶されたＨＤＤ１３とを備えている。また、メイン制御部１２は、所定の演算処理を行なうＣＰＵや、このＣＰＵのワークエリアとして作用するＲＡＭとを備えており、ＨＤＤ１３に記憶されたプログラムを実行することで、サーバー装置１０をネットワーク５０に接続するための機能、及び上記第１並びに第２の機能を実現する。
【００２５】
図５は、メイン制御部１２の論理的な機能を説明する図である。メイン制御部１２は、ＨＤＤ１３に記憶されたネットワークＩＦ１１を制御してネットワーク５０の接続を確立する通信設定部１２ａや、上記した第１及び第２の機能を実現する。具体的には、メイン制御部１２は、第１の機能を実現するために、取得された画像データからサムネールデータを生成するための閲覧画像生成部１２ｂや、画像データとこの画像データを印刷するプリンタのアドレスとサムネールデータとを関連付けて記憶する関連付け記憶部１２ｃとして機能する。そのため、閲覧画像生成部１２ｂや、関連付け記憶部１２ｃにより、本発明の関連付け部が実現される。
【００２６】
また、メイン制御部１２は上記第２の機能を実現するために、サムネールデータを送信する際に必要とされるパスワードを設定するパスワード管理部１２ｄや、印刷可能な画像データに対応したサムネールデータを送信する閲覧画像送信部１２ｅや、予めアドレスが指定されたプリンタに画像データを送信する印刷データ送信部１２ｆとして機能する。そのため、閲覧画像送信部１２ｅにより、本発明の画像送信部が実現される。また、印刷データ送信部１２ｆにより本発明の印刷データ送信部が実現される。
【００２７】
プリンタ４０は、ネットワーク５０と接続するためのネットワークＩＦ４１と、ユーザからの操作入力を受け付ける操作パネルユニット４２と、主たる制御を行うメインコントローラ４３と、印刷処理を実行するためのプリンタエンジン４４と、表示画面として機能する表示部４５とを備えている。メインコントローラ４３は、主たる制御を行うためのＣＰＵや、このＣＰＵに所定の処理を実行させるためのプログラムが記憶されたＲＯＭ、更には、ＣＰＵのワークエリアとして作用するＲＡＭとを備えており、ＲＯＭに記憶されたプログラムを実行することで、各種処理を実行する。
【００２８】
以下、図６を用いて、画像登録印刷システム１００における第１の機能を説明する。図６は、画像登録印刷システムが実行する第１の機能に係る処理を説明する流れ図である。なお、図６に示された処理は、ユーザＡが図２に示す携帯電話２０を使用して、ユーザＢが管理するプリンタ４０に印刷させる画像データを、サーバー装置１０に記憶させる場合を想定している。
【００２９】
ユーザＡが、携帯電話２０を操作してカメラモジュール２９に撮像処理を実行させると（ステップＳ１１０）、マルチメディア処理部２６は撮像画像から画像データを生成し、生成した画像データをコンピュータシステム部２５のメモリに記憶する（ステップＳ１２０）。
【００３０】
ユーザＡがキー入力部２７を操作して、メモリに記憶された画像データを画面上に表示させるよう命令すると、送信画像選択部２５ａはメモリに記憶された画像データを読み出し画面上に表示させていく。この状態で、ユーザＡがキー入力部２７を操作して表示部２８に表示された画像から特定の画像を選択し、選択された画像データを印刷するプリンタを指定すると、付加情報設定部２５ｂは、ユーザが選択した画像データに、指定されたプリンタ４０のアドレスを付加情報として付加する（ステップＳ１３０）。なお、プリンタ４０のアドレスはコンピュータシステム部２５に予め登録されているものとする。
【００３１】
更に、パスワード設定部２５ｈは、送信する画像データに対してパスワード情報を付加させる（ステップＳ１４０）。このパスワード情報は、ユーザがキー入力部２７を操作することで設定され、サーバー装置１０に記憶された画像データを閲覧する際に要求される。
【００３２】
その後、ユーザＡがキー入力部２７を操作して選択された画像をサーバー装置１０に送信するよう命令すると、通信設定部２５ｇはネットワーク５０との接続を確立し、画像データ送信部２５ｃは、選択された画像データ及び付加された付加情報をサーバー装置１０に送信する（ステップＳ１５０）。
【００３３】
画像データがネットワーク５０を介してサーバー装置１０に受信されると、閲覧画像生成部１２ｂは、この画像データからサムネールデータを生成する（ステップＳ１６０）。このとき、生成されるサムネール画像の解像度又は階調値は、取得された画像データの解像度又は階調値より小さいことが望ましい。
【００３４】
関連付け記憶部１２ｃは、取得された画像データをプリンタのアドレス毎に整理してＨＤＤ１３に記憶する（ステップＳ１７０）。そのため、画像データには、ステップＳ１６０で生成されたサムネール画像とともに、ステップＳ１４０で付加された付加情報が関連付けられる。以上、画像登録印刷システム１００における第１の機能を説明した。
【００３５】
以下、図７を使用して、画像登録印刷システム１００における第２の機能を説明する。図７は、画像登録印刷システム１００が実行する第２の機能に係る処理を説明する流れ図である。図７では、ユーザＢが自己が管理するプリンタ４０で印刷可能な画像を携帯電話３０で閲覧する。また、閲覧の際、ユーザＢは、表示されたサムネール画像からプリンタ４０に印刷させる画像を選択し、選択した画像をプリンタ４０に印刷させる。
【００３６】
携帯電話３０がサーバー装置１０とのアクセスを確立した状態で、ユーザＢがキー入力部２７を操作して、画像データの閲覧を要求すると、画像参照部２５ｄは、サーバー装置１０に画像データを送信するよう命令する。（ステップＳ２１０）。具体的には、サーバー装置１０には、プリンタ４０のアドレスが登録されており、画像参照部２５ｄはプリンタ４０のアドレスをサーバー装置１０に送信することで、サーバー装置１０にプリンタ４０が印刷可能な画像データを参照させる。
【００３７】
携帯電話３０からサーバー装置１０にプリンタ４０のアドレスが入力されると、パスワード管理部１２ｄは、事前に設定されたパスワードを携帯電話３０に対して要求する（ステップＳ２２０）。
【００３８】
図８は、携帯電話３０の画面に表示されるパスワード要求を表す画面を説明するための図である。この画面はパスワード管理部２５ｈにより携帯電話３０の画面に表示される。ユーザＢが図８に示す画面上でキー入力部２７を操作してパスワードを入力し、サーバー装置１０にパスワードを送信すると、パスワードが正しい場合は（ステップＳ２３０）、閲覧画像送信部１２ｅがプリンタ４０のアドレスに関連付けてＨＤＤ１３に記憶されたサムネールデータを携帯電話３０に送信する（ステップＳ２４０）。ここで、サーバー装置がサムネールデータを送信する構成とすれば、携帯電話での閲覧画像のデータ量が多くならず、閲覧をスムーズに行うことができる。
【００３９】
図９は、携帯電話の画面上に表示されるサムネール画像を説明するためのイメージ図である。図９に示すように、画像参照部２５ｄは受信したサムネールデータを用いて表示部２８にサムネール画像を表示させる。そのため、表示部２８には、ユーザＢが管理するプリンタ４０で印刷可能な画像がサムネール画像Ｄ１〜３として表示される（ステップＳ２５０）。
【００４０】
ユーザは、画面上に表示されたサムネール画像Ｄ１〜３を閲覧しつつ、アイコンを操作してプリンタ４０に印刷させる画像を選択すると、印刷画像選択部２５ｅは、サーバー装置１０に対して選択されたサムネール画像に対応する画像データをプリンタ４０に送信するよう命令する（ステップＳ２６０）。また、印刷指示部２５ｆは、通信設定部２５ｇにプリンタ４０とのネットワーク接続を確立させ、印刷命令をプリンタ４０に送信する（ステップＳ２７０）。
【００４１】
サーバー装置１０は、選択されたサムネールデータに関連付けされたプリンタのアドレスを参照し、参照されたアドレスを有するプリンタ４０に対して選択された画像データを送信する（ステップＳ２８０）。具体的には、印刷データ送信部１２ｆは、通信設定部１２ａにプリンタ４０との接続を確立させ、選択された画像データをネットワーク５０を介してプリンタ４０に送信する。
【００４２】
プリンタ４０は、サーバー装置１０から送信された画像データを用いて印刷処理を実行する（ステップＳ２９０）。以上、画像登録印刷システム１００における第２の処理を説明した。
【００４３】
２．第２の実施形態：
画像登録印刷システム１００の第１の機能において、携帯電話からサーバー装置へ画像データを送信するタイミングを、携帯電話の充電中に実行するものであってもよい。携帯電話の充電中に画像データをサーバー装置に送信する構成とすれば、他の携帯電話との通話処理等を阻害しないとともに、送信する画像データのデータ量が多い場合でも、消費した電力を充電によって直ちに補うことができ、電池の消費を低減させることができる。
【００４４】
図１０は、携帯電話が充電器を用いて充電されている際に、画像データをサーバー装置１０に送信する処理を説明する流れ図である。まず、画像データ送信部２５ｃは、充電器と接続しているか否かを判断する（ステップＳ３１０）。具体的には、画像データ送信部２５ｃは、携帯電話２０が充電器とメカ的に接続しているか否か検出するセンサからの割り込み信号を受信し、判断を行う。
【００４５】
携帯電話２０が充電器と接続している場合は、画像データ送信部２５ｃは、画像データの送信予約がなされているか否かを判断する（ステップＳ３２０）。画像データの送信予約は、ユーザがキー入力部２７を操作して事前に設定されるものである。
【００４６】
ステップＳ３２０で、画像データの送信予約がなされており、且つメモリに送信する画像データが記憶されている場合は、画像データ送信部２５ｃは、接続可能な回線をチェックする（ステップＳ３３０）。第２の実施形態では、携帯電話２０は、ＰＬＣ（Power Line Communications）、無線ＬＡＮ、及び各種携帯電話会社が提供するネット接続サービスを回線として使用してサーバー装置１０にアクセスすることができるものとする。
【００４７】
画像データ送信部２５ｃは、ネットワーク５０に接続する回線を選択する（ステップＳ３４０）。具体的には、画像データ送信部２５ｃは、予め設定された優先順序に従って回線を選択する。この優先順序は、回線における通信速度が速いほど優先順序が高く設定されている。
【００４８】
画像データ送信部２５ｃは、メモリに記憶された画像データを、選択した回線を用いてサーバー装置１０に送信する（ステップＳ３５０）。具体的には、画像データ送信部２５ｃは、通信設定部２５ｇに、選択した回線を用いてネットワーク５０に接続させる。その後、通信設定部２５ｇがネットワーク５０に対する通信を確立し、画像データ送信部２５ｃは、画像データをこのネットワーク５０を介してサーバー装置１０に送信する。以上、第２の実施形態に係る画像登録印刷システム１００の機能を説明した。
【００４９】
３．その他の実施形態：
上記した第１及び第２の実施形態では、携帯電話３０を操作して、サーバー装置１０に記憶されたサムネール画像を参照したが、プリンタがネットワーク５０を介してサーバー装置１０にアクセスすることができる構成であれば、プリンタからサーバー装置に対して画像の閲覧を要求するものであってもよい。即ち、画像登録印刷システム１００は、第３の機能として、プリンタ４０で印刷可能な画像データの閲覧を、プリンタ４０でサーバー装置１０に要求すると、サーバー装置１０はプリンタ４０で印刷可能な画像データをプリンタ４０に送信し、プリンタ４０の操作者に閲覧させる機能を備えている。そのため、プリンタが携帯電話２０又は３０と同等の機能を備えることで、サーバー装置に対して、閲覧要求、及び印刷要求を行なうことができる。
【００５０】
なお、本発明は上記実施例に限られるものでないことは言うまでもない。つまり、実施例の中で開示した相互に置換可能な部材および構成等を適宜その組み合わせを変更して適用すること、実施例の中で開示されていないが、公知技術であって実施例の中で開示した部材および構成等と相互に置換可能な部材および構成等を適宜置換し、またその組み合わせを変更して適用すること、実施例の中で開示されていないが、公知技術等に基づいて当業者が上記実施例の中で開示した部材および構成等の代用として想定し得る部材および構成等と適宜置換し、またその組み合わせを変更して適用すること、は本発明の一実施例として開示されるものである。
【図面の簡単な説明】
【００５１】
【図１】第１の実施形態に係る画像登録印刷システムを説明するためのイメージ図である。
【図２】画像登録印刷システムの機能を説明するためのイメージ図である。
【図３】一実施形態としての画像登録印刷システム１００を構成する各部の構成を説明するブロック図である。
【図４】コンピュータシステム部の論理的な構成を説明するための図である。
【図５】メイン制御部１２の論理的な機能を説明する図である。
【図６】画像登録印刷システムが実行する第１の機能に係る処理を説明する流れ図である。
【図７】画像登録印刷システム１００が実行する第２の機能に係る処理を説明する流れ図である。
【図８】携帯電話３０の画面に表示されるパスワード要求を表す画面を説明するための図である。
【図９】携帯電話の画面上に表示されるサムネール画像を説明するためのイメージ図である。
【図１０】携帯電話が充電器を用いて充電されている際に、画像データをサーバー装置１０に送信する処理を説明する流れ図である。
【符号の説明】
【００５２】
１０…サーバー装置、１２…メイン制御部、１２ａ…通信設定部、１２ｂ…閲覧画像生成部、１２ｃ…関連付け記憶部、１２ｄ…パスワード管理部、１２ｅ…閲覧画像送信部、１２ｆ…印刷データ送信部、２０，３０…携帯電話、２１…無線部、２２…ベースバンド信号処理部、２３…スピーカ／マイク、２４…メイン制御部、２５…コンピュータシステム部、２５ａ…送信画像選択部、２５ｂ…付加情報設定部、２５ｃ…画像データ送信部、２５ｄ…画像参照部、２５ｅ…印刷画像選択部、２５ｆ…印刷指示部、２５ｇ…通信設定部、２５ｈ…パスワード管理部、２６…マルチメディア処理部、２７…キー入力部、２８…表示部、２９…カメラモジュール、４０…プリンタ、４１…ネットワークＩＦ、４２…操作パネルユニット、４３…メインコントローラ、４４…プリンタエンジン、４５…表示部、５０…ネットワーク、１００…画像登録印刷システム
【図１】
2010134712.tif 000003
【図２】
2010134712.tif 000004
【図３】
2010134712.tif 000005
【図４】
2010134712.tif 000006
【図５】
2010134712.tif 000007
【図６】
2010134712.tif 000008
【図７】
2010134712.tif 000009
【図８】
2010134712.tif 000010
【図９】
2010134712.tif 000011
【図１０】
2010134712.tif 000012